(57)【要約】【課題】横臥するベッド面に段差を生じず、ベッド面の感触が良好な介護用ベッドを提供する。【解決手段】ベッド本体１と支持部材２と昇降手段とを有する。ベッド本体１のマット１２は、横臥した身体を乗せるためのベッド面１３を有し、ベッド面１３に横臥した身体の肩甲骨、腰部、臀部、ふくらはぎ部および足首部が乗る位置に幅方向に伸びる複数の溝孔１４を有する。支持部材２は、複数から成って、ベッド面１３の高さで各溝孔１４を塞ぐ基準位置と、各溝孔１４の上方で所定の高さの上昇位置とにそれぞれ位置付け可能である。昇降手段は、動力または手動で、支持部材２を基準位置と上昇位置との間で昇降可能である。昇降手段は、各支持部材２をそれぞれ別個に昇降できる。【選択図】図１
0003215169.tif 000002
【実用新案登録請求の範囲】
【請求項１】
横臥した身体を乗せるためのベッド面を有し、前記ベッド面に横臥した身体の腰部が乗る位置に幅方向に伸びる溝孔を有するベッド本体と、
前記ベッド面の高さで前記溝孔を塞ぐ基準位置と、前記溝孔の上方で所定の高さの上昇位置とに位置付け可能な支持部材と、
前記支持部材を前記基準位置と前記上昇位置との間で昇降可能な昇降手段とを、
有することを特徴とする介護用ベッド。
【請求項２】
前記溝孔は複数から成って、前記ベッド面に横臥した身体の肩甲骨、腰部、臀部、ふくらはぎ部および足首部が乗る位置にそれぞれ設けられ、
前記支持部材は複数から成って、前記ベッド面の高さで各溝孔を塞ぐ基準位置と、各溝孔の上方で所定の高さの上昇位置とにそれぞれ位置付け可能に設けられ、それぞれ内部に湯を収容可能な容器を有し、
前記昇降手段は各支持部材をそれぞれ別個に昇降可能に構成されていることを、
特徴とする請求項１記載の介護用ベッド。
【考案の詳細な説明】
【技術分野】
【０００１】
本考案は、介護用ベッドに関する。
【背景技術】
【０００２】
従来、ベッド幅方向に平行に配置した複数本のエアー袋体を膨張・収縮させる床ずれ防止用ベッドが開示されている（例えば、特許文献１参照）。
【先行技術文献】
【特許文献】
【０００３】
【特許文献１】特許第４８４９９９１号公報
【考案の概要】
【考案が解決しようとする課題】
【０００４】
しかしながら、特許文献１のベッドでは、エアー袋体がマットの上に取り付けられ、その上に横臥するので、エアー袋体の位置でわずかな段差を生じ、感触が悪いという課題があった。
【０００５】
本考案は、このような課題に着目してなされたもので、横臥するベッド面に段差を生じず、ベッド面の感触が良好な介護用ベッドを提供することを目的とする。
【課題を解決するための手段】
【０００６】
上記目的を達成するために、本考案に係る介護用ベッドは、横臥した身体を乗せるためのベッド面を有し、前記ベッド面に横臥した身体の腰部が乗る位置に幅方向に伸びる溝孔を有するベッド本体と、前記ベッド面の高さで前記溝孔を塞ぐ基準位置と、前記溝孔の上方で所定の高さの上昇位置とに位置付け可能な支持部材と、前記支持部材を前記基準位置と前記上昇位置との間で昇降可能な昇降手段とを、有することを特徴とする。
【０００７】
本考案に係る介護用ベッドは、ベッド面の上に被介護者の身体を横臥させて用いられる。被介護者のおむつを交換するとき、昇降手段により支持部材を上昇させ、上昇位置に位置付ける。上昇位置では、被介護者の腰部が持ち上げられるので、臀部が浮き上がり、おむつの交換が容易となる。支持部材は、通常は基準位置にあってベッド面の高さで溝孔を塞いでいるので、ベッド面に段差を生じず、ベッド面の感触は良好である。なお、支持部材の上昇位置の高さは、設定可能であることが好ましい。ベッド面は、マットの上面であってもよい。
【０００８】
本考案に係る介護用ベッドにおいて、前記溝孔は複数から成って、前記ベッド面に横臥した身体の肩甲骨、腰部、臀部、ふくらはぎ部および足首部が乗る位置にそれぞれ設けられ、前記支持部材は複数から成って、前記ベッド面の高さで各溝孔を塞ぐ基準位置と、各溝孔の上方で所定の高さの上昇位置とにそれぞれ位置付け可能に設けられ、それぞれ内部に湯を収容可能な容器を有し、前記昇降手段は各支持部材をそれぞれ別個に昇降可能に構成されていることが好ましい。
【０００９】
この場合、昇降手段により複数の支持部材を上昇させ、被介護者の肩甲骨、腰部、臀部、ふくらはぎ部および足首部を別個に持ち上げることにより、寝間着の交換やシーツの交換、身体清拭が容易となる。また、被介護者の体重を複数の支持手段で適宜、分散して支持することにより褥瘡の防止が可能である。各支持部材は、通常は基準位置にあってベッド面の高さで各溝孔を塞いでいるので、ベッド面に段差を生じず、ベッド面の感触は良好である。各支持部材の内部に湯を収容することにより、被介護者の身体を温めることもできる。なお、各支持部材の上昇位置の高さは、設定可能であることが好ましい。
本考案に係る介護用ベッドで、昇降手段は電気、油圧、空気圧などの動力駆動であっても手動であってもよい。
【考案の効果】
【００１０】
本考案によれば、横臥するベッド面に段差を生じず、ベッド面の感触が良好な介護用ベッドを提供することができる。
【図面の簡単な説明】
【００１１】
【図１】本考案の実施の形態の介護用ベッドを示す斜視図である。
【図２】図１の介護用ベッドの支持部材が基準位置の状態の側面図である。
【図３】図１の介護用ベッドの、被介護者の腰部および臀部が乗る位置の支持部材が上昇位置の状態の側面図である。
【考案を実施するための形態】
【００１２】
以下、図面に基づき本考案の実施の形態について説明する。
図１〜図３は、本考案の実施の形態の介護用ベッドを示している。
図１〜図３に示すように、介護用ベッドは、ベッド本体１と、支持部材２と、昇降手段３とを有している。介護用ベッドは、業務用にも家庭用にも使用可能である。
【００１３】
ベッド本体１は、ベッドフレーム１１とマット１２とを有している。ベッドフレーム１１は、４本の脚を有し、平面が長方形状のマット１２を支持している。マット１２は、横臥した身体を乗せるためのベッド面１３を有し、ベッド面１３に横臥した身体の肩甲骨、腰部、臀部、ふくらはぎ部および足首部が乗る位置に幅方向に伸びる複数の溝孔１４を有している。
【００１４】
支持部材２は、複数から成って、ベッド面１３の高さで各溝孔１４を塞ぐ基準位置と、各溝孔１４の上方で所定の高さの上昇位置とにそれぞれ位置付け可能に設けられている。支持部材２の上昇位置の高さは、設定可能となっている。各支持部材２は、外面がウレタン発泡樹脂などの柔軟な素材から成っている。支持部材２には、着脱して洗濯可能なカバーが設けられている。各支持部材２は、それぞれ内部に湯を収容可能な容器を有している。
【００１５】
昇降手段３は、動力または手動で、支持部材２を基準位置と上昇位置との間で昇降可能となっている。昇降手段３は、各支持部材２に対応して複数の油圧シリンダ３１を有し、電動ポンプ３２で駆動されて各支持部材２をそれぞれ別個に昇降可能に構成されている。
【００１６】
介護用ベッドは、ベッド面１３の上に被介護者Ａの身体を横臥させて用いられる。被介護者Ａのおむつを交換するとき、昇降手段３により支持部材２を上昇させ、上昇位置に位置付ける。上昇位置では、被介護者Ａの腰部が持ち上げられるので、臀部が浮き上がり、おむつの交換が容易となる。支持部材２は、通常は基準位置にあってベッド面１３の高さで溝孔１４を塞いでいるので、ベッド面１３に段差を生じず、ベッド面１３の感触は良好である。
【００１７】
また、寝間着の交換や身体清拭をするときには、昇降手段３により複数の支持部材２を上昇させ、被介護者Ａの肩甲骨、腰部、臀部、ふくらはぎ部および足首部を別個に持ち上げる。持ち上げられた部分の寝間着を脱がせて新しい寝間着を着せ、持ち上げられた部分の清拭をすることにより、寝間着の交換やシーツの交換、身体清拭が容易となる。また、被介護者Ａの体重を複数の支持手段で適宜、分散して支持することにより褥瘡の防止が可能である。各支持部材２は、通常は基準位置にあってベッド面１３の高さで各溝孔１４を塞いでいるので、ベッド面１３に段差を生じず、ベッド面１３の感触は良好である。各支持部材２の内部に湯を収容することにより、被介護者Ａの身体を温めることもできる。
【符号の説明】
【００１８】
Ａ  被介護者
１  ベッド本体
２  支持部材
３  昇降手段
１１  ベッドフレーム
１２  マット
１３  ベッド面
１４  溝孔
３１  油圧シリンダ
３２  電動ポンプ
【図１】
0003215169.tif 000003
【図２】
0003215169.tif 000004
【図３】
0003215169.tif 000005